(57)【要約】      （修正有）【課題】複数の入力端子のうち、どの入力端子から信号が入力され、また、どの入力端子からの信号が切断されたのか、入力信号の切り換え状況によらず、ユーザーがリアルタイムかつ容易に把握できる画像表示装置を提供する。【解決手段】複数の入力端子と、前記入力端子を通じて入力された入力信号を検出する入力信号検出部と、前記入力信号の入力状態に関する情報をユーザーに報知する入力状態報知部と、前記入力信号に係る画像を表示する画像表示部と、前記入力端子の位置を示す端子位置情報を前記画像表示部に表示する端子状態表示部とを備え、前記入力信号検出部が前記入力信号の入力または切断を検出したとき、前記入力信号の入力または切断を検出した旨の情報を前記入力状態報知部に報知させ、前記入力信号の入力または切断を検出した前記入力端子の位置を示す前記端子位置情報を前記端子状態表示部に表示させることを特徴とする画像表示装置。【選択図】図３
2015225230.tif 000002
【特許請求の範囲】
【請求項１】
複数の入力端子と、前記入力端子を通じて入力された入力信号を検出する入力信号検出部と、前記入力信号の入力状態に関する情報をユーザーに報知する入力状態報知部と、前記入力信号に係る画像を表示する画像表示部と、前記入力端子の位置を示す端子位置情報を前記画像表示部に表示する端子状態表示部と、前記入力端子、前記入力信号検出部、前記入力状態報知部、前記画像表示部および前記端子状態表示部を制御する制御部とを備え、
前記制御部は、前記入力信号検出部が前記入力信号の入力または切断を検出したとき、前記入力信号の入力または切断を検出した旨の情報を前記入力状態報知部に報知させ、前記入力信号の入力または切断を検出した前記入力端子の位置を示す前記端子位置情報を前記端子状態表示部に表示させることを特徴とする画像表示装置。
【請求項２】
前記制御部は、前記入力信号検出部が前記入力信号の入力または切断を検出したとき、前記複数の入力端子の位置を示す端子位置情報を前記端子状態表示部に表示させ、前記入力信号の入力または切断を検出した旨の情報および前記入力信号の入力または切断を検出した前記入力端子の位置を特定する情報を前記入力状態報知部に報知させる、請求項１に記載の画像表示装置。
【請求項３】
前記入力状態報知部は、前記入力信号の入力または切断を検出した旨の情報を示す画像情報を前記画像表示部に表示することによって報知する、請求項１または２に記載の画像表示装置。
【請求項４】
前記入力状態報知部は、前記入力信号の入力または切断を検出した旨の情報を示す画像情報を前記入力信号の入力または切断を検出した前記入力端子の位置を示す端子位置情報の近傍に表示することによって報知する、請求項１〜３のいずれか１つに記載の画像表示装置。
【請求項５】
前記画像表示部に表示された前記画像情報の選択によってユーザーからの指令を受け付ける画像操作部をさらに備え、
前記制御部は、前記画像表示部に表示されている画像に係る入力信号と異なる入力信号の入力を検出した場合、前記入力信号の入力を検出した旨の画像情報を前記入力状態報知部に表示させ、前記画像情報が前記画像操作部によって選択されたとき、前記入力信号に係る画像に切り換えて前記画像表示部に表示させる、請求項３または４に記載の画像表示装置。
【請求項６】
前記制御部は、予め定められた時間、前記画像表示部に前記画像情報を表示させる、請求項１〜５のいずれか１つに記載の画像表示装置。
【請求項７】
前記画像操作部は、前記端子位置情報の選択によってユーザーからの指令を受け付け、
前記制御部は、前記端子位置情報が前記画像操作部によって選択されたとき、前記端子位置情報が示す前記入力端子が検出した前記入力信号に係る画像に切り換えて前記画像表示部に表示させる、請求項５に記載の画像表示装置。
【請求項８】
前記入力状態報知部は、前記入力信号の種類および前記入力信号の入力状態の変化に応じて前記画像情報の形状および色彩の少なくとも一方を変更して前記画像表示部に表示することによって報知する、請求項３〜７のいずれか１つに記載の画像表示装置。
【請求項９】
前記端子状態表示部は、前記入力信号の種類および前記入力信号の入力状態の変化に応じて前記端子位置情報の形状および色彩の少なくとも一方を変更して前記画像表示部に表示する、請求項３〜８のいずれか１つに記載の画像表示装置。
【発明の詳細な説明】
【技術分野】
【０００１】
この発明は、画像表示装置に関する。
【背景技術】
【０００２】
従来、複数の入力信号が入力されたときの画像表示装置の入力信号の切り換え方法としては、ディスプレイ画面上に切り換え可能な入力信号の情報がリスト表示された入力切換メニューをオンスクリーン表示（On-screen Display、以下ＯＳＤ）させて、所望の入力信号をユーザーに選択させることによって入力信号を切り換える方法が知られている。
【０００３】
また、入力端子部を介して送られてくる入力信号の中から操作部で指示された信号を選択する入力セレクタと、前記入力セレクタで選択された入力信号の情報を表示させるＯＳＤ回路部とを備え、前記ＯＳＤ回路部は、前記入力端子部と同じ位置構成ですべての入力端子のグラフィック画像を表示させることにより、ユーザーに映像入力切換時の映像信号の状態を容易に理解させ、操作性の向上を図ることが出来る画像表示装置の発明が開示されている（例えば、特許文献１を参照）。
【先行技術文献】
【特許文献】
【０００４】
【特許文献１】特開２００７−２１２６１８号公報
【発明の概要】
【発明が解決しようとする課題】
【０００５】
しかしながら、入力切換メニューから所望の入力信号を選択させる方法は、入力信号の情報が、例えば、「ＨＤＭＩ(登録商標)１」「ＨＤＭＩ２」「ＨＤＭＩ３」のように入力切換メニューに表示された場合、これらの表示がどの外部機器から入力された入力信号に対応しているのかわかりにくいため、ユーザーは、入力信号を切り換えて画像を確認する必要があった。
【０００６】
また、入力セレクタで選択された入力信号の情報を表示させる方法は、入力セレクタによって実際に選択されるまで、ユーザーは入力信号の有無を知ることができない。
【０００７】
この発明は、以上のような事情を考慮してなされたものであって、その目的は、複数の入力端子のうち、どの入力端子から信号が入力され、また、どの入力端子からの信号が切断されたのか、入力信号の切り換え状況によらず、ユーザーがリアルタイムかつ容易に把握できる画像表示装置を提供することにある。
【課題を解決するための手段】
【０００８】
この発明は、複数の入力端子と、前記入力端子を通じて入力された入力信号を検出する入力信号検出部と、前記入力信号の入力状態に関する情報をユーザーに報知する入力状態報知部と、前記入力信号に係る画像を表示する画像表示部と、前記入力端子の位置を示す端子位置情報を前記画像表示部に表示する端子状態表示部と、前記入力端子、前記入力信号検出部、前記入力状態報知部、前記画像表示部および前記端子状態表示部を制御する制御部とを備え、前記制御部は、前記入力信号検出部が前記入力信号の入力または切断を検出したとき、前記入力信号の入力または切断を検出した旨の情報を前記入力状態報知部に報知させ、前記入力信号の入力または切断を検出した前記入力端子の位置を示す前記端子位置情報を前記端子状態表示部に表示させることを特徴とする画像表示装置を提供するものである。
【発明の効果】
【０００９】
この発明によれば、入力信号の入力または切断を検出してユーザーに報知し、当該入力信号の入力または切断を検出した入力端子の位置を画像表示部に表示することにより、どの入力端子からの信号が入力され、どの入力端子からの信号が切断されたのか、ユーザーがリアルタイムかつ容易に把握できる画像表示装置を実現できる。
【図面の簡単な説明】
【００１０】
【図１】この発明の画像表示装置の概略構成を示すブロック図である。（実施形態１）
【図２】この発明の画像表示装置の電源入力時のＯＳＤ表示処理のフローチャートである。（実施形態１）
【図３】入力信号の変化を検出したときの、この発明の画像表示装置１のＯＳＤ表示処理のフローチャートである。（実施形態１）
【図４】この発明の画像表示装置の入力端子の配置および入力端子と外部機器との接続の一例を示す説明図である。（実施形態１）
【図５】従来の画像表示装置の入力信号切換手順の一例を示す説明図である。（比較例）
【図６】この発明の画像表示装置の電源入力時のＯＳＤ表示処理の説明図である。（実施形態１）
【図７】この発明の画像表示装置の入力信号検出時のＯＳＤ表示処理の説明図である。（実施形態１）
【図８】この発明の画像表示装置の外部機器の切換時のＯＳＤ表示処理の説明図である。（実施形態１）
【図９】この発明の画像表示装置への外部機器の接続例を示す説明図である。（実施形態１）
【図１０】この発明の画像表示装置の外部機器からの信号入力切断時のＯＳＤ表示処理の説明図である。（実施形態１）
【図１１】この発明の画像表示装置への外部機器の接続例を示す説明図である。（実施形態２）
【図１２】この発明の画像表示装置の外部機器の切換時のＯＳＤ表示処理の説明図である。（実施形態２）
【図１３】この発明の画像表示装置の外部機器の切断時のＯＳＤ表示処理の説明図である。（実施形態３）
【図１４】この発明の画像表示装置の外部機器の接続時のＯＳＤ表示処理の説明図である。（実施形態３）
【図１５】この発明の画像表示装置の外部機器の接続時のＯＳＤ表示処理の説明図である。（実施形態４）
【図１６】この発明の画像表示装置の外部機器の接続時のＯＳＤ表示処理の説明図である。（実施形態５）
【発明を実施するための形態】
【００１１】
以下、図面を用いてこの発明をさらに詳述する。なお、以下の説明は、すべての点で例示であって、この発明を限定するものと解されるべきではない。
【００１２】
（実施形態１）
＜画像表示装置１の構成＞
この発明の実施形態１に係る画像表示装置１について説明する。
以下、図１に基づき、この発明の画像表示装置１の構成を説明する。
図１は、この発明の画像表示装置１の概略構成を示すブロック図である。
【００１３】
画像表示装置１は、動画、静止画または３Ｄ画像等の映像を表示する装置であり、例えば、テレビやパーソナルコンピュータ（ＰＣ）、電子黒板等のディスプレイがあげられる。
また、ディスプレイ１４とハードディスクとが一体型になった表示装置に限定されず、ディスプレイ１４単体の表示装置であってもよい。
また、据え置き型の表示装置に限定されず、スマートフォンやタブレット端末等の携帯型の表示装置であってもよい。
また、画面上にタッチすることによって操作するタッチパネル機能を有する表示装置であってもよい。
また、ディスプレイ１４に画像が表示される表示装置に限定されず、例えば、プロジェクタのようにスクリーン上に画像が投影される表示装置であってもよい。
【００１４】
図１に示すように、この発明の画像表示装置１は、主として、マイコン１０、信号検出部１１、スケーラー１２、画像メモリー１３、ディスプレイ１４、不揮発性メモリー１５、揮発性メモリー１６、バックライト１７、電源ユニット１８、ＤＣ−ＤＣコンバータ１９、タイマ２０、受光部２１、通信部２２および入力端子部２３を備える。
【００１５】
実施形態１において、この発明の「画像表示部」はディスプレイ１４によって実現し、また、この発明の「入力状態報知部」は、マイコン１０、信号検出部１１、スケーラー１２、画像メモリー１３およびディスプレイ１４、不揮発性メモリー１５および揮発性メモリー１６の協働によって実現し、また、この発明の「端子状態表示部」は、マイコン１０、信号検出部１１、スケーラー１２、画像メモリー１３、ディスプレイ１４、不揮発性メモリー１５および揮発性メモリー１６の協働によって実現し、また、この発明の「制御部」は、マイコン１０によって実現する。
【００１６】
以下、図１に示す各構成要素を説明する。
マイコン１０は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
【００１７】
信号検出部１１は、入力端子２３１〜２３４を通じて外部機器３１〜３４から入力された入力信号の有無を検出する部分である。
また、有線による入力信号の検出に限定されず、Ｂｌｕｅｔｏｏｔｈ（登録商標）や無線ＬＡＮなどの無線による入力信号を検出するものであってもよい。
【００１８】
スケーラー１２は、画像データの処理を行う部分である。例えば、画像補整、カラー補正、γ補正、倍速処理またはＯＳＤ重畳などの処理を行う。
【００１９】
画像メモリー１３は、スケーラー１２で処理された画像データを格納する部分である。例えば、ＦＲＣ（Frame Rate Conversion）などに用いられる。
【００２０】
ディスプレイ１４は、ユーザーに対して入力画像またはＯＳＤ表示１４０などの各種情報の表示を行う部分である。ディスプレイ１４は、例えば、ＣＲＴディスプレイ、液晶ディスプレイ、ＥＬディスプレイなどで構成され、オペレーティングシステムやアプリケーションソフトウェアが処理状態などの電子的なデータを表示するためのモニタやラインディスプレイなどの表示装置である。
【００２１】
また、ディスプレイ１４の表示面をタッチパネルで覆い、表示面に接触したユーザーの指先等の位置を検出してタッチパネル操作を行うものであってもよい。位置検知方式としては、電圧を検知する抵抗膜方式、静電容量の変化を検知する静電容量方式、赤外光を遮断して検知する光学方式、超音波を検知する超音波方式、電子ペンを指示体として用いる電磁誘導方式などのいずれの方式であってもよい。また、赤外線等を用いて指先等の位置を非接触で感知できる方式であってもよい。
【００２２】
不揮発性メモリー１５は、制御プログラムやログ情報、ユーザー設定情報、システム情報用の固定テキストなど、画像表示装置１の各種機能を実現するために必要な情報を格納する部分である。例えば、フラッシュメモリーやＥＥＰＲＯＭなどの記憶媒体が用いられる。
【００２３】
揮発性メモリー１６は、各種データや取引結果を一時的に記憶する部分である。揮発性メモリー１６は、プログラムのワークエリア等としても使用する。揮発性メモリー１６として、例えば、ＳＲＡＭなどの半導体素子やハードディスク等の記憶媒体が用いられる。
【００２４】
バックライト１７は、ディスプレイ１４の背面から液晶を照明する部分である。バックライト１７の光源としては、例えば、ＬＥＤや冷陰極蛍光ランプ（ＣＣＦＬ）などが用いられる。また、直下型方式、エッジライト方式その他の方式が用いられる。
【００２５】
電源ユニット１８は、外部の交流電源を直流に変換して画像表示装置１の各部分に電源を供給する部分である。電源ユニット１８としては、例えば、ＡＴ電源、ＡＴＸ電源またはＳＦＸ電源などが用いられる。
【００２６】
ＤＣ−ＤＣコンバータ１９は、電源ユニット１８から入力された直流電流を降圧または昇圧して画像表示装置１の各部分に必要な電源を供給する部分である。
【００２７】
タイマ２０は、画像表示装置１の各種処理の経過時間を計測する部分である。例えば、ディスプレイ１４に表示されたＯＳＤ表示１４０の表示時間を計測するために用いられる。
【００２８】
受光部２１は、リモコンからの赤外線（ＩＲ）信号を受光する部分である。
リモコンからの赤外線信号の受光を通じてユーザーからの指令が受け付けられる。
【００２９】
通信部２２は、ネットワークを介して、外部機器３４と有線または無線による通信を行い、データを送受信する部分である。ネットワークとしては、ＬＡＮ、インターネットなどの広域ネットワーク（ＷＡＮ）、専用の通信回線などが用いられる。
その無線通信規格としては、例えば、Ｂｌｕｅｔｏｏｔｈ（登録商標）や無線ＬＡＮの標準規格であるＩＥＥＥ８０２．１１ａ、ＩＥＥＥ８０２．１１ｂ、ＩＥＥＥ８０２．１１ｇ、ＩＥＥＥ８０２．１１ｎ等があげられる。
通信先の外部機器３４としては、例えば、ＰＣ、携帯端末、サーバなど、有線または無線による通信が可能なものがあげられ、レガシインターフェースである、ＲＳ−２３２Ｃなども含まれる。
【００３０】
入力端子部２３は、外部機器３１〜３４の端子を接続して信号を入力する部分である。
図１の入力端子部２３は、外部機器３１〜３４に対応する４つの入力端子２３１〜２３４を有するが、これは一例であり、３つ以下の入力端子または５つ以上の入力端子を有するものであってもよい。
入力端子部２３に接続可能な端子としては、ＶＧＡ端子やコンポーネント端子等のアナログ入力端子、ＤＶＩ端子やＨＤＭＩ端子やＤｉｓｐｌａｙＰｏｒｔ端子等のデジタル入力素子、またはＵＳＢコネクタ等の制御系の入力端子があげられる。
外部機器３１〜３４としては、例えば、ＰＣ、携帯端末、レコーダー、ビデオカメラなど、動画または静止画の信号を出力可能なものがあげられる。
【００３１】
＜画像表示装置１のＯＳＤ表示手順＞
次に、図２および図３に基づき、画像表示装置１のＯＳＤ表示手順について説明する。
図２は、この発明の画像表示装置１の電源入力時のＯＳＤ表示処理のフローチャートである。図３は、入力信号の変化を検出したときの、この発明の画像表示装置１のＯＳＤ表示処理のフローチャートである。
【００３２】
画像表示装置１の電源がＯＮになった後、マイコン１０は、以下のステップに示す手順に従う。
【００３３】
図２のステップＳ１において、マイコン１０は、ディスプレイ１４の画面中央に電源がＯＮになった旨のＯＳＤ表示１４０を表示させる（ステップＳ１）。
【００３４】
次に、ステップＳ２において、マイコン１０は、不揮発性メモリー１５を参照して、前回保存された入力端子データが存在するか否かを判定する（ステップＳ２）。
【００３５】
ステップＳ２において、前回保存された入力端子データが存在する場合（ステップＳ２の判定がＹｅｓの場合）、マイコン１０は、ステップＳ３において不揮発性メモリー１５に保存された入力端子データを読み込んで設定する（ステップＳ３）。
【００３６】
一方、ステップＳ２において、前回保存された入力端子データが存在しない場合（ステップＳ２の判定がＮｏの場合）、マイコン１０は、ステップＳ４において不揮発性メモリー１５に予め設定されたデフォルトの入力端子データを読み込んで設定する（ステップＳ４）。
【００３７】
デフォルトの入力端子データの設定としては、例えば、外部機器３１〜３４のいずれか１つのみから入力信号を検出した場合は、当該外部機器が接続された入力端子のデータを読み込み、複数の外部機器３１〜３４から入力信号を検出した場合は、予め定められた入力端子２３１〜２３４の順にデータを読み込み、また、外部機器３１〜３４からの入力信号をまったく検出しない場合は、予め定められた入力端子２３１〜２３４のデータを読み込むなどの設定があげられる。
【００３８】
次に、ステップＳ５において、マイコン１０は、設定された入力端子２３１〜２３４から入力された入力信号に係る画像をディスプレイ１４に表示させる（ステップＳ５）。
【００３９】
次に、図３のステップＳ６において、マイコン１０は、信号検出部１１が入力信号の変化を検出したか否かを判定する（ステップＳ６）。
具体的には、マイコン１０は、信号検出部１１が入力端子２３１〜２３４から新たに入力信号を検出したとき、または、入力端子２３１〜２３４から入力信号を検出しなくなったとき、入力信号の変化を検出したものと判定する。
【００４０】
ステップＳ６において、信号検出部１１が入力信号の変化を検出した場合（ステップＳ６の判定がＹｅｓの場合）、マイコン１０は、ステップＳ７において、ディスプレイ１４に入力端子部２３の配置を示すコネクタレイアウト１４１〜１４４を表示させる（ステップＳ６）。
一方、信号検出部１１が入力信号の変化を検出していない場合（ステップＳ６の判定がＮｏの場合）、マイコン１０は、ステップＳ６の判定を繰り返す（ステップＳ６）。
なお、コネクタレイアウト１４１〜１４４の具体例については後述する。
【００４１】
次に、ステップＳ８において、マイコン１０は、信号検出部１１が新たな入力信号を検出したか否かを判定する（ステップＳ８）。
信号検出部１１が新たな入力信号を検出した場合（ステップＳ８の判定がＹｅｓの場合）、マイコン１０は、ステップＳ９において、入力信号を検知した旨および入力信号を検出した入力端子２３１〜２３４を特定するＯＳＤ表示１４０を表示させる（ステップＳ９）。
【００４２】
一方、ステップＳ８において、信号検出部１１が新たな入力信号を検出しなかった場合（ステップＳ８の判定がＮｏの場合）、マイコン１０は、入力信号が切断されたものとして、ステップＳ９において、ディスプレイ１４に入力信号の切断があった旨を知らせるＯＳＤ表示１４０を表示させる（ステップＳ９）。
その後、マイコン１０は、ステップＳ１３の処理を行う。
【００４３】
次に、ステップＳ１１において、マイコン１０は、表示されたＯＳＤ表示１４０がユーザーによって選択されたか否かを判定する（ステップＳ１０）。
ＯＳＤ表示１４０の選択方法として、ユーザーは、ディスプレイ１４の画面に表示されたＯＳＤ表示１４０をタッチすることによって選択するか、または、リモコン操作を通じてＯＳＤ表示１４０を選択する。
また、ＯＳＤ表示１４０が予め定められた時間（例えば、１秒間、２秒間または３秒間など）内に選択されなかった場合は、ＯＳＤ表示１４０がユーザーによって選択されなかったものと判定する。
【００４４】
ステップＳ１１において、表示されたＯＳＤ表示１４０がユーザーによって選択された場合（ステップＳ１１の判定がＹｅｓの場合）、マイコン１０は、ステップＳ１２において、選択されたＯＳＤ表示１４０に係る入力信号の画像に切り換えてディスプレイ１４に表示させる（ステップＳ１２）。
【００４５】
一方、ステップＳ１１において、表示されたＯＳＤ表示１４０がユーザーによって選択されなかった場合（ステップＳ１０の判定がＮｏの場合）、マイコン１０は、ステップＳ１３の処理を行う（ステップＳ１３）。
【００４６】
次に、ステップＳ１３において、マイコン１０は、選択されたＯＳＤ表示１４０に係る入力信号の端子データを不揮発性メモリー１５に保存させる（ステップＳ１３）。
【００４７】
次に、ステップＳ１４において、マイコン１０は、選択されたＯＳＤ表示１４０をディスプレイ１４に一定時間表示させた後、消去させる（ステップＳ１４）。
ＯＳＤ表示１４０の表示時間としては、例えば、１秒間、２秒間または３秒間などである。
また、ＯＳＤ表示１４０の表示時間をユーザーが任意に設定できるようにしてもよい。
【００４８】
最後に、ステップＳ１５において、マイコン１０は、ディスプレイ１４に表示されたコネクタレイアウト１４１〜１４４を消去させる（ステップＳ１４）。
【００４９】
このように、入力信号の入力または切断を検出してユーザーに報知し、当該入力信号の入力または切断を検出した入力端子２３１〜２３４の位置をコネクタレイアウト１４１〜１４４として画像表示部に表示することにより、どの外部機器３１〜３４からの信号が入力され、どの外部機器３１〜３４からの信号が切断されたのか、ユーザーがリアルタイムかつ容易に把握できる画像表示装置１を実現できる。
【００５０】
＜この発明の画像表示装置１の入力端子２３１〜２３４の配置および画像表示装置１と外部機器３１〜３４との接続の一例＞
図４は、この発明の画像表示装置１の入力端子２３１〜２３４の配置および画像表示装置１と外部機器３１〜３４との接続の一例を示す説明図である。
【００５１】
入力端子部２３は、画像表示装置１の背面側（図示せず）に設けられ、図４に示すディスプレイ１４の白い破線で囲まれた位置に対応する位置に、４つの入力端子２３１、入力端子２３２、入力端子２３３および入力端子２３４が設けられている。
なお、入力端子部２３の配置、個数および種類は一例であり、図４に示す配置に限定されるものではない。
【００５２】
図４においては、入力端子２３１〜２３４のそれぞれに外部機器３１（据え置き型ＰＣ）、外部機器３２（レコーダー）、外部機器３３（ビデオカメラ）および外部機器３４（ノートＰＣ）が接続されている。
【００５３】
（比較例）
＜従来の画像表示装置２の入力信号切換手順の一例＞
次に、比較例として、従来の画像表示装置２の入力信号切換手順の一例について説明する。
図５は、従来の画像表示装置２の入力信号切換手順の一例を示す説明図である。
【００５４】
従来の画像表示装置２において、ディスプレイ１４の画面上に図５に示すように入力切換メニュー２４０を表示させる。「入力１」〜「入力４」は、入力端子２３１〜２３４に対応し、ユーザーは、リモコン操作により「入力１」〜「入力４」のいずれかを選択することによって、入力信号の切り換えを行う。図５においては、「入力２」が選択されている。
【００５５】
しかしながら、従来の画像表示装置２の入力信号切換手順は、入力切換メニュー２４０に表示された「入力１」〜「入力４」が外部機器３１〜３４のどの信号に対応しているのか、直観的にわかりにくい。
また、入力切換メニュー２４０に「ＨＤＭＩ１」「ＨＤＭＩ２」のような入力端子２３１〜２３４の種類を表示する方法もあるが、複数個のＨＤＭＩ端子が存在する場合、「ＨＤＭＩ１」がどのＨＤＭＩ端子に対応しているのかわかりにくい。
それゆえ、ユーザーは、実際に入力切換メニュー２４０の「入力１」〜「入力４」のいずれかを選択して、画像を確認する必要があった。
【００５６】
＜この発明の画像表示装置１の入力信号切換手順の具体例＞
次に、図６〜図９に基づき、この発明の画像表示装置１の入力信号切換手順の具体例について説明する。
図６は、この発明の画像表示装置１の電源入力時のＯＳＤ表示処理の説明図である。図７は、この発明の画像表示装置１の入力信号検出時のＯＳＤ表示処理の説明図である。図８は、この発明の画像表示装置１の外部機器３１，３２の切換時のＯＳＤ表示処理の説明図である。
【００５７】
図６に示すように、外部機器３１および３２がそれぞれ入力端子２３１および２３２に接続され、外部機器３１，３３および３４が電源ＯＮに、外部機器３２のみが電源ＯＦＦになっている状況を想定する。
ここで、画像表示装置１の電源をＯＮにすると、画像表示装置１のディスプレイ１４の画面中央に「電源ＯＮ」というＯＳＤ表示１４０が表示される。
また、デフォルトの、または保存された入力端子２３１のデータを読み込み、当該入力端子２３１に接続された外部機器３１から入力された入力信号に係る画像がディスプレイ１４に表示される。
【００５８】
次に、図７に示すように、外部機器３２の電源をＯＮにした場合、画像表示装置１のディスプレイ１４の画面中央に「信号が入力されました」というＯＳＤ表示１４０が表示される。
また、入力端子２３１〜２３４の位置をそれぞれ示すコネクタレイアウト１４１〜１４４が表示される。
【００５９】
また、ＯＳＤ表示１４０は、電源がＯＮになった外部機器３２が接続されたコネクタレイアウト１４２を指し示す。
図７においては、ＯＳＤ表示１４０の吹き出しの引き出し位置により、コネクタレイアウト１４２が特定されるが、このような特定方法に限定されない。例えば、特定すべきコネクタレイアウト１４２の近傍にＯＳＤ表示１４０を表示させるなど、コネクタレイアウト１４２を特定する方法であれば、どのような方法であってもよい。
【００６０】
このように、ユーザーは、ＯＳＤ表示１４０によって特定されたコネクタレイアウト１４２の位置から、電源がＯＮになった外部機器３２の入力端子２３２の位置をリアルタイムかつ容易に把握することができる。
【００６１】
なお、コネクタレイアウト１４１〜１４４の位置は、実際の入力端子２３１〜２３４の配置と全く同一でなくてもよい。例えば、入力端子２３１〜２３４間の相対的な位置関係が把握できる範囲で、コネクタレイアウト１４１〜１４４の位置を自由に拡大または縮小してディスプレイ１４に表示させてもよい。
【００６２】
次に、図８に示すように、ユーザーがＯＳＤ表示１４０をタッチして選択した場合、画像表示装置１は、ディスプレイ１４の画像を外部機器３２に係る画像に切り換える。
画像を切り換えた後、ＯＳＤ表示１４０およびコネクタレイアウト１４１〜１４４は、予め定められた表示時間（例えば、１秒間、２秒間または３秒間など）表示された後に消去される。
【００６３】
一方、ＯＳＤ表示１４０がユーザーによって選択されなかった場合は、ＯＳＤ表示１４０およびコネクタレイアウト１４１〜１４４は、予め定められた表示時間（例えば、１秒間、２秒間または３秒間など）表示された後に消去される。
【００６４】
＜この発明の画像表示装置１と外部機器３３との入力信号切断の具体例＞
次に、図９および１０に基づき、この発明の画像表示装置１と外部機器３３との入力信号切断の一例について説明する。
図９は、この発明の画像表示装置１への外部機器３１〜３４の接続例を示す説明図である。図１０は、この発明の画像表示装置１の外部機器３３からの信号入力切断時のＯＳＤ表示処理の説明図である。
【００６５】
図９に示すように、画像表示装置１に外部機器３１〜３４がすべて接続された状態を想定する。また、外部機器３１〜３４はすべて電源がＯＮになっているものとする。
【００６６】
ここで、図１０に示すように、画像表示装置１から外部機器３３を切断したとき、画像表示装置１のディスプレイ１４の画面中央に「信号が切断されました」というＯＳＤ表示１４０および入力端子２３１〜２３４の位置をそれぞれ示すコネクタレイアウト１４１〜１４４が表示される。
また、ＯＳＤ表示１４０は、外部機器３３が接続されていた入力端子２３３に対応するコネクタレイアウト１４３を指し示す。
【００６７】
また、外部機器３１〜３４が接続された状態で電源がＯＦＦになったときも、画像表示装置１のディスプレイ１４の画面中央に「信号が切断されました」というＯＳＤ表示１４０およびコネクタレイアウト１４１〜１４４が表示される。
【００６８】
このように、ユーザーは、どの外部機器３１〜３４が切断され、または電源がＯＦＦになったのかを、ディスプレイ１４の画像からリアルタイムかつ容易に把握することができる。
【００６９】
（実施形態２）
次に、図１１および図１２に基づき、この発明の実際形態２に係る画像表示装置１の入力信号切換手順の具体例について説明する。
図１１は、この発明の画像表示装置１への外部機器３１〜３４の接続例を示す説明図である。図１２は、この発明の画像表示装置１の外部機器３１，３２の切換時のＯＳＤ表示処理の説明図である。
【００７０】
実施形態２に係る画像表示装置１は、外部機器３１〜３４が接続中であるか、または切断中であるかによって、コネクタレイアウト１４１〜１４４の形状および色彩を変化させる。
【００７１】
図１１に示すように、接続中の外部機器３１および３２にそれぞれ対応するコネクタレイアウト１４１および１４２を実線表示とし、切断中の外部機器３３および３４にそれぞれ対応するコネクタレイアウト１４３および１４４を破線表示とする。
【００７２】
また、図１２に示すように、外部機器３２の接続時に、対応するコネクタレイアウト１４２を異なる色彩で表示させる。
図１２において、コネクタレイアウト１４２は、コネクタレイアウト１４１，１４３および１４４よりも濃い色で表示される。
【００７３】
このように、コネクタレイアウト１４１〜１４４の形状および色彩によって、ユーザーは、外部機器３１〜３４の接続状態および切断状態をリアルタイムかつ容易に把握することができる。
それゆえ、外部機器３１〜３４の接続状態が不安定になったときや、外部機器３１〜３４の電源が不意に切れたとき、当該外部機器３１〜３４からの入力信号に係る画像がディスプレイ１４に表示されているか否かにかかわらず、どの外部機器３１〜３４に問題が生じたのかを、ユーザーはリアルタイムかつ容易に把握することができる。
【００７４】
（実施形態３）
次に、図１３および図１４に基づき、この発明の実際形態３に係る画像表示装置１のＯＳＤ表示処理の具体例について説明する。
図１３は、この発明の画像表示装置１の外部機器３２の切断時のＯＳＤ表示処理の説明図である。図１４は、この発明の画像表示装置１の外部機器３２の接続時のＯＳＤ表示処理の説明図である。
【００７５】
図１３に示すように、画像表示装置１に接続された状態で外部機器３２の電源がＯＦＦになったとき、外部機器３２が切断されたことを示すため、コネクタレイアウト１４２の形状をディスプレイ１４の画面外側方向（図１３では画面下側方向）を向いた矢印形状にする。
【００７６】
一方、図１４に示すように、画像表示装置１に接続された状態で外部機器３２の電源がＯＮになったとき、外部機器３２の接続時のコネクタレイアウト１４２の形状をディスプレイ１４の画面内側方向（図１４では画面上側方向）を向いた矢印形状にする。
【００７７】
また、図１３および図１４において、コネクタレイアウト１４２の色彩を他のコネクタレイアウト１４１，１４２および１４４と異なる色彩にする。このとき、コネクタレイアウト１４２を点滅表示させてもよい。
【００７８】
このように、コネクタレイアウト１４３の形状および色彩等によって、ユーザーは、外部機器３１〜３４の画像表示装置１の接続状況または切断状況をリアルタイムかつ容易に把握することができる。
特に、ＯＳＤ表示１４０に吹き出しや矢印等を設けることによってコネクタレイアウト１４２を特定せずとも、ユーザーは、外部機器３１〜３４の画像表示装置１の接続状況または切断状況を容易に把握することができる。
【００７９】
（実施形態４）
次に、図１５に基づき、この発明の実際形態４に係る画像表示装置１のＯＳＤ表示処理の具体例について説明する。
図１５は、この発明の画像表示装置の外部機器３４の接続時のＯＳＤ表示処理の説明図である。
【００８０】
図１５に示すように、画像表示装置１が外部機器３４からの有線による入力信号ではなく、無線による入力信号を検出した場合、画像表示装置１のディスプレイ１４の画面中央に「信号が入力されました」というＯＳＤ表示１４０と、有線のコネクタレイアウト１４１〜１４４および無線のコネクタレイアウト１４５とが表示される。
また、ＯＳＤ表示１４０の吹き出しの引き出し位置により、コネクタレイアウト１４５が特定される。
なお、有線の場合と異なり、無線によるコネクタレイアウト１４５の配置は、実際の無線ＬＡＮのアンテナの位置とは必ずしも対応している必要はない。
【００８１】
また、複数の外部機器３１〜３４からの無線による入力信号を受信した場合は、有線によるコネクタレイアウト１４１〜１４４の場合と同様に、複数のコネクタレイアウトを配置してもよい。
【００８２】
このように、ユーザーは、無線を通じた外部機器３１〜３４からの入力信号の接続、切断および切り換えについても、リアルタイムかつ容易に把握することができる。
【００８３】
（実施形態５）
最後に、図１６に基づき、この発明の実際形態５に係る画像表示装置１のＯＳＤ表示処理の具体例について説明する。
図１６は、この発明の画像表示装置１の外部機器３３の接続時のＯＳＤ表示処理の説明図である。
【００８４】
図１６において、画像表示装置１に外部機器３１および３２が接続され、外部機器３３および３４が未接続の場合に、外部機器３３が接続されたときを想定する。
また、外部機器３１〜３４はすべて電源がＯＮになっているものとする。
ここで、画像表示装置１は、図示しない音声出力部を備えているものとする。
【００８５】
図１６に示すように、画像表示装置１に新たに外部機器３３が接続された場合、ディスプレイ１４の画面にコネクタレイアウト１４１〜１４４が表示され、また予め定められた音声メッセージ１４６「端子３から信号が入力されました」が流される。
【００８６】
ここで、コネクタレイアウト１４１〜１４４は、順番に端子番号が付され、外部機器３１〜３３が接続中のコネクタレイアウト１４１〜１４３は実線表示され、外部機器３４が未接続のコネクタレイアウト１４４は破線表示される。
また、外部機器３３が新たに接続された入力端子２３３に係るコネクタレイアウト１４３を反転表示させたり、点滅させたりすることによって、入力端子２３３から信号入力があったことをユーザーにリアルタイムかつ容易に把握できるようにする。
【００８７】
このように、ユーザーは、ディスプレイ１４に表示されたコネクタレイアウト１４１〜１４４を参照することによって、外部機器３１〜３４の接続、切断および入力信号の切り換えがあったことをリアルタイムかつ容易に把握することができる。
【００８８】
（その他の実施形態）
１．実施形態１において、入力信号の種類および接続状態の違いに応じて、ＯＳＤ表示１４０およびコネクタレイアウト１４１〜１４４の形状や色彩を変更するものであってもよい。（実施形態６）
【００８９】
例えば、ＯＳＤ表示１４０の吹き出しの背景色および文字色を下の表１のように設定する。
【００９０】
【表１】
2015225230.tif 000003
【００９１】
このように設定することで、入力信号の種類および接続状態を、ユーザーは容易に把握することができる。
【００９２】
また、アナログ信号またはデジタル信号の違いによって、ＯＳＤ表示１４０およびコネクタレイアウト１４１〜１４４の形状や色彩を変更するものであってもよい。
【００９３】
２．実施形態１の図７において、ディスプレイ１４のＯＳＤ表示１４０以外の部分をタッチしたときに、ＯＳＤ表示１４０およびコネクタレイアウト１４１〜１４４をただちに消去し、現在表示されている画像を継続して表示するようにしてもよい。（実施形態７）
【００９４】
このようにすれば、ユーザーは、ＯＳＤ表示１４０およびコネクタレイアウト１４１〜１４４が消去されるのを待たずに、現在表示されている画像を意識的に選択することによって、現在の画像を継続して表示させることができる。
【００９５】
３．ディスプレイ１４の解像度、輝度、コントラストまたは表示画像の色彩等の変化に応じて、ＯＳＤ表示１４０およびコネクタレイアウト１４１〜１４４の形状や色彩を変化させるものであってもよい。（実施形態８）
例えば、ディスプレイ１４に表示された画面が黒系の場合は、白系のＯＳＤ表示１４０およびコネクタレイアウト１４１〜１４４を表示させる。
【００９６】
このようにすれば、ディスプレイ１４の解像度、輝度、コントラストまたは表示画像の色彩等の変化によらず、ＯＳＤ表示１４０およびコネクタレイアウト１４１〜１４４をユーザーが容易に把握することができる。
【００９７】
４．実施形態１において、画像表示装置１は、リモコン操作による表示指令やディスプレイ１４の画面上の所定箇所へのタッチ操作を受け付けた場合、ディスプレイ１４上にＯＳＤ表示１４０およびコネクタレイアウト１４１〜１４４を表示させるようにしてもよい。（実施形態９）
【００９８】
このようにすれば、入力端子２３１〜２３４の接続時や切断時のような予め定められたタイミング以外の場合においても、リモコンの入力表示ボタン等の操作によって、ＯＳＤ表示１４０およびコネクタレイアウト１４１〜１４４を表示させることができるため、ユーザーは、望みのタイミングで入力信号を切り換えることができる。
【００９９】
また、実施形態２の図１１に示すように、入力端子２３１〜２３４が接続中であるか、または切断中であるかによって、コネクタレイアウト１４１〜１４４の形状および色彩が異なる場合、入力端子２３１〜２３４の接続状況を一目で確認することができる。
【０１００】
５．実施形態１において、コネクタレイアウト１４１〜１４４をディスプレイ１４の画面上で直接タッチすることで、選択されたコネクタレイアウト１４１〜１４４に対応する入力信号の画像をディスプレイ１４に表示させるようにしてもよい。（実施形態１０）
【０１０１】
このようにすれば、画面中央に表示されたＯＳＤ表示１４０でなく、入力端子２３１〜２３４近傍に表示されたコネクタレイアウト１４１〜１４４をタッチすることで入力信号を切り換えることができるので、特に、ディスプレイ１４が大型サイズの場合に、ユーザーの負担を大きく軽減できる。
【０１０２】
６．実施形態１０において、ディスプレイ１４の画面上に表示されたコネクタレイアウト１４１〜１４４をタッチすることで、入力信号の切り換え処理または外部機器３１〜３４の画像表示装置１からの切断処理を行えるようにしてもよい。（実施形態１１）
【０１０３】
例えば、表示されてから予め定められた時間内（例えば、１秒以内）に、ユーザーがコネクタレイアウト１４１〜１４４をタッチした場合、入力信号の切り換え処理を行い、一方、予め定められた時間以上（例えば、１秒以上）タッチし続けた場合、外部機器３１〜３４の画像表示装置１からの切断処理を行うようにする。
【０１０４】
このようにすれば、対応するコネクタレイアウト１４１〜１４４を直接タッチすることで、ユーザーは入力信号の切り換えや外部機器３１〜３４の切断を迅速かつ容易に行うことができる。
【０１０５】
７．実施形態１において、外部機器３１〜３４の切断時の場合は、コネクタレイアウト１４１〜１４４をすべて表示させず、切断された外部機器３１〜３４に対応するコネクタレイアウト１４１〜１４４のみを表示させるようにしてもよい。（実施形態１２）
【０１０６】
このようにすれば、外部機器３１〜３４が切断されたとき、ユーザーは必要最小限の表示で、どの外部機器３１〜３４が切断されたのか容易に把握できる。
【０１０７】
８．実施形態１において、外部機器３１〜３４の接続時または切断時において、コネクタレイアウト１４１〜１４４を表示させず、ＯＳＤ表示１４０のみを外部機器３１〜３４が接続または切断された入力端子２３１〜２３４の近傍に表示させてもよい。（実施形態１３）
【０１０８】
このようにすれば、ＯＳＤ表示１４０をコネクタレイアウト１４１〜１４４の代わりに表示させるだけで、どの外部機器３１〜３４が入力または切断されたのかを、ユーザーは容易に把握することができる。
【０１０９】
９．実施形態４において、無線ＬＡＮの他、Ｂｌｕｅｔｏｏｔｈ（登録商標）など異なる無線通信規格による入力信号を検出した場合は、無線通信規格の種類ごとに異なる形状および色彩のコネクタレイアウトをディスプレイ１４の画面上に表示させてもよい。（実施形態１４）
【０１１０】
このようにすれば、無線通信規格ごとに異なるコネクタレイアウトがディスプレイ１４の画面上に表示されるため、ユーザーは、どの種類の無線信号が入力されたのかを容易に知ることができる。
【０１１１】
以上に述べたように、
（ｉ）この発明の画像表示装置は、複数の入力端子と、前記入力端子を通じて入力された入力信号を検出する入力信号検出部と、前記入力信号の入力状態に関する情報をユーザーに報知する入力状態報知部と、前記入力信号に係る画像を表示する画像表示部と、前記入力端子の位置を示す端子位置情報を前記画像表示部に表示する端子状態表示部と、前記入力端子、前記入力信号検出部、前記入力状態報知部、前記画像表示部および前記端子状態表示部を制御する制御部とを備え、前記制御部は、前記入力信号検出部が前記入力信号の入力または切断を検出したとき、前記入力信号の入力または切断を検出した旨の情報を前記入力状態報知部に報知させ、前記入力信号の入力または切断を検出した前記入力端子の位置を示す前記端子位置情報を前記端子状態表示部に表示させることを特徴とする。
【０１１２】
この発明において、「画像表示装置」は、動画、静止画または３Ｄ画像等の映像を表示する装置であり、例えば、テレビやコンピュータ（ＰＣ）、電子黒板等のディスプレイがあげられる。
また、ディスプレイとハードディスクとが一体型になった表示装置に限定されず、ディスプレイ単体の表示装置であってもよい。
また、画面上にタッチすることによって操作するタッチパネル機能を有する表示装置であってもよい。
また、据え置き型の表示装置に限定されず、スマートフォンやタブレット端末等の携帯型の表示装置であってもよい。
また、ディスプレイに画像が表示される表示装置に限定されず、例えば、プロジェクタのようにスクリーン上に画像が投影される表示装置であってもよい。
【０１１３】
「入力状態報知部」は、入力信号の入力状態をユーザーに報知する部分である。例えば、ディスプレイ画面上に画像情報をＯＳＤ表示（On-Screen Display）することによって、入力状態を報知する。また、ディスプレイ画面上への画像情報の表示に限定されず、音声による報知であってもよい。
また、画像入力に限らず、音声入力やキーボード、マウス等の切り換え状況や接続状態を報知するようにしてもよい。
【０１１４】
「前記入力端子の位置を示す端子位置情報」は、ディスプレイ画面上において、実際の入力端子の位置に対応する位置に画像情報を配置することによって入力端子の位置を示すものである。
また、ディスプレイ画面上の実際の入力端子の位置と必ずしも同じでなくてもよい。入力端子間の相対的な位置関係が把握可能な範囲内であれば、自由に拡大または縮小して端子位置情報を表示させてもよい。
また、１つの画面上に画像および端子位置情報を表示する場合に限定されず、ディスプレイ画面上に子画面を表示させて当該子画面上に端子位置情報を表示させるようにしてもよい。
また、プロジェクタのようにスクリーン上に画像が表示される画像表示装置の場合は、スクリーン上のプロジェクタ側から見た入力端子位置に端子位置情報を表示させる。
【０１１５】
さらに、この発明の好ましい態様について説明する。
（ii）この発明による画像表示装置において、前記制御部は、前記入力信号検出部が前記入力信号の入力または切断を検出したとき、前記複数の入力端子の位置を示す端子位置情報を前記端子状態表示部に表示させ、前記入力信号の入力または切断を検出した旨の情報および前記入力信号の入力または切断を検出した前記入力端子の位置を特定する情報を前記入力状態報知部に報知させるものであってもよい。
【０１１６】
このようにすれば、入力信号の入力または切断をリアルタイムに検出してユーザーに報知し、かつ、入力端子全体との関係において、どの入力端子が接続または切断されたのか、ユーザーが容易に把握できる画像表示装置を実現できる。
【０１１７】
「前記入力信号の入力または切断を検出した前記入力端子の位置を特定する情報」は、ディスプレイ画面に表示された複数の入力端子のうち、入力信号の入力または切断を検出した入力端子を特定するための矢印等の指示情報である。
また、入力信号の入力または切断を検出した入力端子の近傍に入力信号の入力または切断を検出した旨の情報を表示させるようにしてもよい。
また、複数の入力端子の端子位置情報に番号を付して、入力信号の入力または切断を検出した入力端子の位置を当該番号により特定してもよい。
【０１１８】
（iii）この発明による画像表示装置において、前記入力状態報知部は、前記入力信号の入力または切断を検出した旨の情報を示す画像情報を前記画像表示部に表示することによって報知するものであってもよい。
【０１１９】
このようにすれば、入力信号の入力または切断をリアルタイムに検出して画像情報としてユーザーに表示するため、ユーザーが入力信号の入力または切断を視覚的に把握できる画像表示装置を実現できる。
【０１２０】
「前記入力信号の入力または切断を検出した旨の情報を示す画像情報」は、例えば、「信号が入力されました」、「信号が切断されました」など、ディスプレイ画面上にＯＳＤ表示される画像情報である。
【０１２１】
（iv）この発明による画像表示装置において、前記入力状態報知部は、前記入力信号の入力または切断を検出した旨の情報を示す画像情報を前記入力信号の入力または切断を検出した前記入力端子の位置を示す端子位置情報の近傍に表示することによって報知するものであってもよい。
【０１２２】
このようにすれば、入力信号の入力または切断を報知する画像情報を当該入力信号の入力または切断のあった入力端子の位置を示す端子位置情報の近傍に表示するため、ユーザーが入力信号の入力または切断のあった旨および当該入力信号の入力または切断のあった入力端子の位置を容易に把握できる画像表示装置を実現できる。
【０１２３】
（ｖ）この発明による画像表示装置において、前記画像表示部に表示された前記画像情報の選択によってユーザーからの指令を受け付ける画像操作部をさらに備え、前記制御部は、前記画像表示部に表示されている画像に係る入力信号と異なる入力信号の入力を検出した場合、前記入力信号の入力を検出した旨の画像情報を前記入力状態報知部に表示させ、前記画像情報が前記画像操作部によって選択されたとき、前記入力信号に係る画像に切り換えて前記画像表示部に表示させるものであってもよい。
【０１２４】
このようにすれば、入力信号の入力をリアルタイムに検出して画像情報としてユーザーに表示し、前記画像情報をユーザーが選択したとき、前記入力信号に係る画像に切り換えできる画像表示装置を実現できる。
【０１２５】
「画像操作部」は、ディスプレイ画面上にＯＳＤ表示された画像情報をリモコン装置の操作によって操作するものである。また、ディスプレイ画面上に直接タッチすることによって操作するタッチパネル方式のものであってもよい。
【０１２６】
（vi）この発明による画像表示装置において、前記制御部は、予め定められた時間、前記画像表示部に前記画像情報を表示させるものであってもよい。
【０１２７】
このようにすれば、予め定められた時間、入力信号の入力状態の変化をユーザーに報知し、ユーザーによる消去操作を待たずに画像情報を消去する画像表示装置を実現できる
【０１２８】
（vii）この発明による画像表示装置において、前記画像操作部は、前記端子位置情報の選択によってユーザーからの指令を受け付け、前記制御部は、前記端子位置情報が前記画像操作部によって選択されたとき、前記端子位置情報が示す前記入力端子が検出した前記入力信号に係る画像に切り換えて前記画像表示部に表示させるものであってもよい。
このようにすれば、前記端子位置情報をユーザーが選択したとき、前記位置情報が示す前記入力端子が検出した前記入力信号に係る画像に切り換えできる画像表示装置を実現できる。
【０１２９】
（viii）この発明による画像表示装置において、前記入力状態報知部は、前記入力信号の種類および前記入力信号の入力状態の変化に応じて前記画像情報の形状および色彩の少なくとも一方を変更して前記画像表示部に表示することによって報知するものであってもよい。
このようにすれば、入力信号の種類および接続状態をリアルタイムに検出して画像情報の形状や色彩の変化としてユーザーに表示するため、ユーザーが入力信号の種類および接続状態を直観的に把握できる画像表示装置を実現できる。
【０１３０】
（ix）この発明による画像表示装置において、前記端子状態表示部は、前記入力信号の種類および前記入力信号の入力状態の変化に応じて前記端子位置情報の形状および色彩の少なくとも一方を変更して前記画像表示部に表示するものであってもよい。
このようにすれば、入力信号の種類および接続状態をリアルタイムに検出して端子位置情報の形状や色彩の変化としてユーザーに表示するため、ユーザーが入力信号の種類および接続状態を直観的に把握できる画像表示装置を実現できる。
【０１３１】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味及び前記範囲内でのすべての変形とが含まれるべきである。
【符号の説明】
【０１３２】
１：画像表示装置、    ２：従来の画像表示装置、    １０：マイコン、    １１：信号検出部、    １２：スケーラー、    １３：画像メモリー、    １４：ディスプレイ、    １５：不揮発性メモリー、    １６：揮発性メモリー、    １７：バックライト、    １８：電源ユニット、    １９：ＤＣ−ＤＣコンバータ、    ２０：タイマ、    ２１：受光部、    ２２：通信部、    ２３：入力端子部、    ３１〜３４：外部機器、    １４０：ＯＳＤ表示、    １４１〜１４５：コネクタレイアウト、    １４６：音声メッセージ、    ２３１〜２３４：入力端子、    ２４０：入力切換メニュー
【図１】
2015225230.tif 000004
【図２】
2015225230.tif 000005
【図３】
2015225230.tif 000006
【図４】
2015225230.tif 000007
【図５】
2015225230.tif 000008
【図６】
2015225230.tif 000009
【図７】
2015225230.tif 000010
【図８】
2015225230.tif 000011
【図９】
2015225230.tif 000012
【図１０】
2015225230.tif 000013
【図１１】
2015225230.tif 000014
【図１２】
2015225230.tif 000015
【図１３】
2015225230.tif 000016
【図１４】
2015225230.tif 000017
【図１５】
2015225230.tif 000018
【図１６】
2015225230.tif 000019